(57)【要約】【課題】自動釣銭機に対する釣銭準備金の準備作業の容易化を図る。【解決手段】ＰＯＳ端末は、在高演算手段によって求められた自動釣銭機内の金種毎の在高に関する在高情報２０１及び入力装置を用いての自動釣銭機内に収納すべき釣銭準備金に関する釣銭準備金情報の入力を受け付ける入力受付エリア２０２を、同時に表示器に表示する。【選択図】図５
2011054037.tif 000002
【特許請求の範囲】
【請求項１】
収納した金銭を出金情報に基づいて出金する自動釣銭機との間で、データ通信可能な商品販売データ処理装置において、
表示器と、
在高演算手段によって求められた自動釣銭機内の金種毎の在高に関する在高情報及び入力装置を用いての前記自動釣銭機内に収納すべき釣銭準備金に関する釣銭準備金情報の入力を受け付ける入力受付エリアを、同時に前記表示器に表示する第１の表示制御手段と、
を備えることを特徴とする商品販売データ処理装置。
【請求項２】
前記在高情報及び前記入力受付エリアに入力された釣銭準備金情報に基づいて前記釣銭準備金に対する自動釣銭機内の金銭の差額を算出する算出手段と、
算出された前記差額を前記表示器に表示する第２の表示制御手段と、
備えることを特徴とする請求項１に記載の商品販売データ処理装置。
【請求項３】
前記在高情報及び前記入力受付エリアに入力された釣銭準備金情報に基づいて出金情報を生成する出金情報生成手段と、
前記出金情報を前記自動釣銭機に送信する出金情報送信手段と、
を備えることを特徴とする請求項１又は２に記載の商品販売データ処理装置。
【請求項４】
前記釣銭準備金情報は、金種毎の釣銭準備金としての枚数であることを特徴とする請求項１ないし３のいずれか一項に記載の商品販売データ処理装置。
【請求項５】
前記釣銭準備金情報は、前記在高に対する金種毎の増減枚数であることを特徴とする請求項１ないし３のいずれか一項に記載の商品販売データ処理装置。
【請求項６】
収納した金銭を出金情報に基づいて出金する自動釣銭機との間で、データ通信可能な商品販売データ処理装置のコンピュータを、
在高演算手段によって求められた自動釣銭機内の金種毎の在高に関する在高情報及び入力装置を用いての前記自動釣銭機内に収納すべき釣銭準備金に関する釣銭準備金情報の入力を受け付ける入力受付エリアを、同時に前記表示器に表示する第１の表示制御手段として機能させるためのプログラム。
【発明の詳細な説明】
【技術分野】
【０００１】
本発明は、商品販売データ処理装置及びプログラムに関する。
【背景技術】
【０００２】
従来、ＰＯＳ端末と自動釣銭機とを備え、ＰＯＳ端末から自動釣銭機に出金情報としての釣銭情報が送信されると、その釣銭情報に基づいた釣銭を自動釣銭機が払い出す釣銭システムがある（例えば、特許文献１参照）。
【０００３】
このような釣銭システムを導入している店舗では、閉店後等に、翌日の釣銭用の金銭である釣銭準備金を自動釣銭機内に確保した上で、自動釣銭機内から本日の売上金の一部又は全部を納金として自動釣銭機から出金する釣銭準備作業を行う。
【０００４】
この釣銭準備作業の際、店員はＰＯＳ端末を操作して自動釣銭機内の在高（金銭の残高）を表示する在高表示画面をＰＯＳ端末の表示器に表示させて、自動釣銭機内の在高を確認する。その後、店員は、所定の操作をして釣銭準備金の入力画面をＰＯＳ端末の表示器に表示させて、釣銭準備金に関する情報を入力する。この情報を基に、ＰＯＳ端末が釣銭を確保した上での本日の売上金の出金分である納金額を計算し、その納金額を売上ファイルに格納する。
【発明の概要】
【発明が解決しようとする課題】
【０００５】
しかしながら、上記従来のＰＯＳ端末では、釣銭準備金の入力画面を表示させると、在高表示画面が削除されてしまうため、釣銭準備金の入力画面を表示させる前に、在高表示画面に表示された自動釣銭機内の在高の情報をプリントアウトしたり、書き留めておく必要があり、釣銭準備作業に手間がかかるという問題がある。
【０００６】
本発明は、上記に鑑みてなされたものであって、釣銭準備金の準備作業の容易化を図ることを目的とする。
【課題を解決するための手段】
【０００７】
上述した課題を解決し、目的を達成するために、本発明の商品販売データ処理装置は、収納した金銭を出金情報に基づいて出金する自動釣銭機との間で、データ通信可能な商品販売データ処理装置であって、表示器と、在高演算手段によって求められた自動釣銭機内の金種毎の在高に関する在高情報及び入力装置を用いての前記自動釣銭機内に収納すべき釣銭準備金に関する釣銭準備金情報の入力を受け付ける入力受付エリアを、同時に前記表示器に表示する第１の表示制御手段と、を備えることを特徴とする。
【０００８】
また、本発明のプログラムは、収納した金銭を出金情報に基づいて出金する自動釣銭機との間で、データ通信可能な商品販売データ処理装置のコンピュータを、在高演算手段によって求められた自動釣銭機内の金種毎の在高に関する在高情報及び入力装置を用いての前記自動釣銭機内に収納すべき釣銭準備金に関する釣銭準備金情報の入力を受け付ける入力受付エリアを、同時に前記表示器に表示する第１の表示制御手段として機能させる。
【発明の効果】
【０００９】
本発明によれば、自動釣銭機に対する釣銭準備金の準備作業の容易化を図ることができるという効果を奏する。
【図面の簡単な説明】
【００１０】
【図１】図１は、本発明の一実施の形態にかかる釣銭システムを示す外観斜視図である。
【図２】図２は、ＰＯＳ端末を示すブロック図である。
【図３】図３は、自動釣銭機を示すブロック図である。
【図４】図４は、釣銭管理処理におけるＰＯＳ端末の機能構成を示すブロック図である。
【図５】図５は、ＰＯＳ端末の釣銭管理画面を示す図である。
【図６】図６は、ＰＯＳ端末の釣銭管理処理を示すフローチャートである。
【発明を実施するための形態】
【００１１】
以下に添付図面を参照して、この発明にかかる商品販売データ処理装置の一実施の形態を詳細に説明する。
【００１２】
図１は、本実施の形態にかかる釣銭システム１を示す外観斜視図である。釣銭システム１は、商品販売データ処理装置であるＰＯＳ端末１０と、このＰＯＳ端末１０に通信ケーブル（図示せず）を介して接続された自動釣銭機１００とから構成されている。
【００１３】
ＰＯＳ端末１０は、キーボード３２、モードキー３３、操作者用表示器３４、客用表示器３５、コードスキャナ３６、サーマルプリンタ３７等を備えている。操作者用表示器３４には、入力装置としてのタッチパネル４３が積層して取り付けられている。また、ＰＯＳ端末１０は、上記各部を制御する制御部３１（図２参照）を備えている。
【００１４】
図２は、ＰＯＳ端末１０を示すブロック図である。図２に示すように、制御部３１は、各部を集中的に制御するＣＰＵ（Central Processing Unit）３８に、アドレスバス、データバス等のバスライン３９を介して、起動プログラム等の固定的データを予め格納するＲＯＭ（Read Only Memory）４０と、売上バッファや印字バッファ等の各種バッファを構成して各種データを書き換え自在に格納するＲＡＭ（Random Access Memory）４１と、日付や日時を計時するタイマ４２とが接続されて構成されたコンピュータである。
【００１５】
ＣＰＵ３８に接続されたバスライン３９には、ＨＤＤ（Hard Disk Drive）５５が接続されており、このＨＤＤ５５には制御部３１を動作させるコンピュータプログラムの他に、商品マスタファイル、売上データ等を記憶する売上ファイル等を格納している。商品マスタファイルは、商品コードに対応付けて商品名や単価などを記憶するファイルである。
【００１６】
ＨＤＤ５５に格納されたコンピュータプログラムは、ＰＯＳ端末１０の起動時に商品マスタファイル等の各種ファイルとともにＲＡＭ４１に書き込まれ、これによって制御部３１による各部の駆動制御が可能な状態となる。
【００１７】
次に、制御部３１によって駆動制御される各部を図３に基づいて説明する。
【００１８】
キーボード３２は、置数キー、ＰＬＵキー、部門キー、小計キー、預／現計キー、クリアキー、エンターキー、リセットキー、釣銭増減・納金額登録キー３２ａ等の各種キーを配設したものである。キーボード３２は、キーボードコントローラ６８を介してバスライン３９に接続され、操作されたキーに応じた信号をキーボードコントローラ６８の動作によって制御部３１に入力する。
【００１９】
モードキー３３は、モードキーコントローラ６９を介してバスライン３９に接続され、モードキーコントローラ６９の動作によって切り替え位置に応じた信号を制御部３１に入力する。制御部３１は、モードキー３３からの出力信号に応じて、ＰＯＳ端末１０の動作モードを登録モード、設定モード、精算モード、点検モード等の各業務モードに設定する。
【００２０】
操作者用表示器３４及び客用表示器３５は、表示コントローラ７０，７１を介してバスライン３９に接続され、制御部３１からの表示データが表示コントローラ７０，７１に入力されると、表示コントローラ７０，７１に駆動されて所定事項を表示する。
【００２１】
タッチパネル４３は、操作者によってタッチされたパネル上のＸＹ座標の位置を認識して座標データを取得する。タッチパネル４３は、パネルコントローラ４４を介してバスライン３９に接続され、取得した座標データに応じた信号をパネルコントローラ４４の動作によって制御部３１に入力する。
【００２２】
コードスキャナ３６は、商品に付されたバーコードなどの商品コードを光学的に読み取るもので、スキャナコントローラ７２を介してバスライン３９に接続され、読み取った商品コードのデータをスキャナコントローラ７２の動作によって制御部３１に送信する。
【００２３】
サーマルプリンタ３７は、プリンタコントローラ７３を介してバスライン３９に接続され、制御部３１によって駆動制御される。このサーマルプリンタ３７には、カッタ部（図示せず）が内蔵されている。サーマルプリンタ３７は、制御部３１によって駆動制御されて、図示しない長尺紙であるレシート用紙にレシートとしての必要事項を印字し、これを切断してレシートとして発行する。
【００２４】
また、ＰＯＳ端末１０には、通信ケーブルを介して自動釣銭機１００に接続され自動釣銭機１００との間のデータ通信を司る通信インタフェース７４が、バスライン３９に接続されており、通信インタフェース７４は制御部３１によって駆動制御される。
【００２５】
このような構成のＰＯＳ端末１０のＣＰＵ３８は、商品の売上登録処理を行う。売上登録処理では、ＣＰＵ３８は、例えばコードスキャナ３６による商品に付された商品コードの読み取り入力がなされると、読み取り入力された商品コードに基づいて商品マスタファイルを検索し、該当する商品コードに対応した商品名や単価等の商品情報を読み出し、商品コード及び読み出した商品情報等をＲＡＭ４１に記憶させて商品の販売登録を行う。そして、小計キーの押下に応じて当該取引の売上金額を算出してＲＡＭ４１に記憶させる。次に、客が買上げる商品の登録を終了しその客が現金で代金を支払うことを宣言する締め宣言が預／現計キーの操作により行われたことを検知すると、締め処理を実行する。締め処理では、キーボード３２の置数キーによって入力された客からの預かり金額を取得し、その預かり金額からＲＡＭ４１に記憶させた当該取り引きの売上金額を減じて釣銭金額を算出し、自動釣銭機１００に対し釣銭データを送信する。また、サーマルプリンタ３７によるレシートの印字発行等を行う。
【００２６】
自動釣銭機１００は、図１に示すように、硬貨を扱う硬貨入出金部１０１と、紙幣を扱う紙幣入出金部１０２と、を備えている。硬貨入出金部１０１及び紙幣入出金部１０２は、扱う金銭は異なるが、金銭の処理を行う構成は同様であるので、一つの図（図３）を用いて説明する。
【００２７】
図３は、自動釣銭機１００を示すブロック図である。図３に示すように、硬貨入出金部１０１及び紙幣入出金部１０２は、それぞれ、金銭（硬貨入出金部１０１の場合には硬貨、紙幣入出金部１０２の場合には紙幣）を金種別に収納する金銭収納部１１１と、この金銭収納部１１１に収納されている金銭の金種別の枚数を記憶する収納枚数記憶部１１２と、客の支払いや釣銭準備金として補充する金銭を投入する投入口１１３と、この投入口１１３から投入（入金）された金銭を金種別に選別し金銭収納部１１１に収納する選別手段１１４と、この選別手段１１４により選別した金銭の枚数を金種別に計数する投入枚数計数手段１１５と、を備えている。
【００２８】
また、硬貨入出金部１０１及び紙幣入出金部１０２は、それぞれ、ＰＯＳ端末１０から送信される釣銭データ等を受信する通信インタフェース（図面ではＩ／Ｆ）１１６と、この通信インタフェース１１６を介して受信した釣銭データと収納枚数記憶部１１２に記憶した金種別の収納枚数データとに基づいて金種別の払出し枚数を算出する払出し払出枚数算出手段１１７と、金銭収納部１１１に収納された金銭を金種別に１枚ずつ払出す払出手段１１８と、この払出手段１１８により金銭収納部１１１から払出された金銭を受ける払出口１１９と、払出手段１１８により払出した金銭の枚数を金種別に計数する払出枚数計数手段１２０と、この払出枚数計数手段１２０により計数した金種別の払出枚数が払出枚数算出手段１１７により算出した払出枚数に一致するまで払出手段１１８を動作させて釣銭の払出しを行う金銭払出制御手段１２１と、投入枚数計数手段１１５により計数した金種別の投入枚数及び払出枚数計数手段１２０により計数した金種別の払出枚数に基づいて収納枚数記憶部１１２の値を更新する収納枚数更新手段１２２と、を備えている。
【００２９】
さらに、硬貨入出金部１０１及び紙幣入出金部１０２は、通信インタフェース１１６を介して在高の要求コマンドを受信すると、収納枚数記憶部１１２に記憶した金種別の収納枚数データを読出して現時点における現金の合計金額である在高を算出し、その在高を含む在高情報を通信インタフェース１１６を介してＰＯＳ端末１０に送出する在高演算手段１２３を備えている。この在高情報には、金種毎の金銭の枚数および金種毎の合計金額（在高）が含まれる。
【００３０】
次に、このような釣銭システム１が実行する各種の処理のうちＰＯＳ端末１０のＣＰＵ３８が実行する釣銭管理処理について説明する。この釣銭管理処理は、精算モードにおいて実行される。
【００３１】
釣銭管理処理では、ＰＯＳ端末１０のＣＰＵ３８は、プログラムに従うことにより、図４に示すように、第１の表示制御部８１と、算出部８２と、第２の表示制御部８３と、納金額登録部８４と、出金情報生成部８５と、出金情報送信部８６と、を機能部として実現する。
【００３２】
第１の表示制御部８１は、第１の表示制御手段として機能するものであって、自動釣銭機１００の在高演算手段１２３によって求められた自動釣銭機１００内の在高に関する在高情報及びタッチパネル４３を用いての自動釣銭機１００内に収納すべき釣銭準備金に関する釣銭準備金情報の入力を受け付ける入力受付エリア２０２（図５参照）を、同時に表示器である操作者用表示器３４に表示するものである。具体的には、第１の表示制御部８１は、釣銭管理画面２００（図５参照）を操作者用表示器３４に表示する。
【００３３】
ここで、図５は、ＰＯＳ端末１０の釣銭管理画面２００を示す図である。図５に示すように、釣銭管理画面２００には、自動釣銭機１００内の在高に関する在高情報２０１及び入力受付エリア２０２が表示されている。入力受付エリア２０２は、金種別の入力受付エリアである個別エリア２０２ａを金種毎に有している。入力受付エリア２０２（個別エリア２０２ａ）は、釣銭準備金情報として、金種毎の釣銭準備金としての枚数の入力を受け付ける。なお、釣銭準備金情報としては、在高に対する金種毎の増減枚数のであっても良い。また、この釣銭管理画面２００には、画面中のカーソルを移動させる移動ボタン２０３や、入力受付エリア２０２内に入力された数字の確定を宣言する確定ボタン２０４、本日納金額エリア２０５等が表示されている。この釣銭管理画面２００では、カーソルによって選択された個別エリア２０２ａに対して、キーボード３２の値数キーによって数字が入力可能となっている。従って、操作者は、移動ボタン２０３を操作して所望の個別エリア２０２ａにカーソルを移動させて、そのカーソルを移動させた個別エリア２０２ａに対してキーボード３２の値数キーによって数字を入力することで、釣銭準備金情報を入力する。なお、図５中のＹは任意の数字を示すものである。
【００３４】
また、釣銭管理画面２００には、自動釣銭機１００内の現在の在高（以後、実際在高ともいう）を表示する現金合計表示エリア２０６と、入力受付エリア２０２に入力された情報に基づき自動釣銭機１００から出金されずに残る金額を表示する釣銭機表示エリア２０７と、ＰＯＳ端末１０が売上登録処理に基づいて計算した自動釣銭機１００の理論上の在高（以後、理論在高ともいう）を表示するレジ現金在高表示エリア２０８と、入力受付エリア２０２に入力された情報に基づき釣銭として補充入金される金額を示す釣銭増減表示エリア２０９と、理論在高に対する実際在高の過不足金額を表示する過不足金額表示エリア２１０と、が設けられている。そして、本日納金額エリア２０５には、現金合計表示エリア２０６の金額から釣銭機表示エリア２０７の金額と釣銭増減表示エリア２０９の金額とが減算された金額が表示される。
【００３５】
算出部８２は、算出手段として機能するものであって、在高情報及び入力受付エリア２０２に入力された釣銭準備金情報に基づいて釣銭準備金に対する自動釣銭機１００内の金銭の差額を算出するものである。この差額が、自動釣銭機から出金する売上金の出金額となる。この出金される売上金は、納金と称される。
【００３６】
第２の表示制御部８３は、第２の表示制御手段として機能するものであって、算出部８２によって算出された差額を操作者用表示器３４に納品額として表示するものである。具体的には、第２の表示制御部８３は、図５に示すように、釣銭管理画面２００中の本日納金額エリア２０５に差額を表示する。
【００３７】
納金額登録部８４は、算出部８２によって算出された差額を納金額として売上ファイルに格納するものである。
【００３８】
出金情報生成部８５は、出金情報生成手段として機能するものであって、在高情報及び入力受付エリア２０２に入力された釣銭準備金情報に基づいて出金情報を生成するものである。この出金情報は、例えば金種毎の出金枚数である。
【００３９】
出金情報送信部８６は、出金情報送信手段として機能するものであって、出金情報生成部８５が生成した出金情報を自動釣銭機１００に送信するものである。出金情報送信部８６は、通信インタフェース７４を制御して出金情報を自動釣銭機１００に送信する。
【００４０】
釣銭管理処理について、図６に示すフローチャートを参照して説明する。ＰＯＳ端末１０のＣＰＵ３８は、釣銭増減・納金額登録キー３２ａが押下されたと判断すると（ステップＳ１のＹｅｓ）、釣銭管理画面２００を操作者用表示器３４に表示する（ステップＳ２）。ここに、第１の表示制御部８１の機能が実行される。なお、ＣＰＵ３８は、釣銭増減・納金額登録キー３２ａではなく他のキーが押下されたと判断した場合（ステップＳ１のＮｏ）には、他のボタンに応じた他の処理を実行する。
【００４１】
次に、ＣＰＵ３８は、在高情報及び入力受付エリア２０２に入力された釣銭準備金情報に基づいて釣銭準備金に対する自動釣銭機１００内の金銭の差額（納金額）を算出する（ステップＳ３）。ここに、算出部８２の機能が実行される。そして、ＣＰＵ３８は、算出した差額（納金額）を操作者用表示器３４の釣銭管理画面２００に表示する（ステップＳ４）。ここに、第２の表示制御部８３の機能が実行される。そして、確定ボタン２０４がタッチされていない（ステップＳ５のＮｏ）間は、入力受付エリア２０２に釣銭準備金情報が入力される毎に、ステップＳ３，４の処理が繰り返し行われる。
【００４２】
ＣＰＵ３８は、確定ボタン２０４がタッチされたと判断した場合には（ステップＳ５のＹｅｓ）、ステップＳ３で算出した差額を納金額として登録する（ステップＳ６）。具体的には、その差額を納金額として売上ファイルに格納する。ここに、納金額登録部８４の機能が実行される。そして、ＣＰＵ３８は、出金情報を生成し（ステップＳ７）、生成した出金情報を自動釣銭機に送信する（ステップＳ８）。ここに、出金情報生成部８５及び出金情報送信部８６の機能が実行される。
【００４３】
一方、ＰＯＳ端末１０から出金情報を受信した自動釣銭機１００は、受信した出金情報に基づいて金種毎に金銭を出金する。
【００４４】
以上説明したように、本実施の形態では、ＰＯＳ端末１０の第１の表示制御部８１が、在高演算手段１２３によって求められた自動釣銭機１００内の金種毎の在高に関する在高情報２０１及びタッチパネル４３を用いての自動釣銭機１００内に収納すべき釣銭準備金に関する釣銭準備金情報の入力を受け付ける入力受付エリア２０２を、同時に操作者用表示器３４に表示する。したがって、店員は自動釣銭機１００内の在高に関する在高情報を確認しながら入力受付エリア２０２への入力作業を行うことができるので、自動釣銭機１００に対する釣銭準備金の準備作業の容易化を図ることができる。
【００４５】
また、本実施の形態では、ＰＯＳ端末１０において、算出部８２が、在高情報及び入力受付エリア２０２に入力された釣銭準備金情報に基づいて釣銭準備金に対する自動釣銭機１００内の金銭の差額を納金額として算出し、第２の表示制御部８３が、算出された差額（納金額）を操作者用表示器３４に表示する。したがって、納金額を店員が容易に把握することができる。
【００４６】
また、本実施の形態では、ＰＯＳ端末１０において、出金情報生成部８５が、在高情報及び入力受付エリア２０２に入力された釣銭準備金情報に基づいて出金情報を生成し、出金情報送信部８６が、出金情報を自動釣銭機１００に送信する。したがって、自動釣銭機１００に納金を出金させることができる。
【００４７】
また、本実施形態では、釣銭準備金情報は、金種毎の釣銭準備金としての枚数や、在高に対する金種毎の増減枚数である。したがって、金銭準備金情報を容易に入力することができる。
【００４８】
なお、本発明は、本実施の形態に限ることなく本発明の要旨を逸脱しない範囲で他の実施の形態を各種採用することができる。例えば、商品販売データ処理装置を、ＥＣＲ（Electric Cash Register）に適用しても良い。
【００４９】
また、在高演算手段をＰＯＳ端末１０に設けてもよい。この場合には、自動釣銭機１００内の在高の初期値をＰＯＳ端末１０に記憶させておく。これにより、在高演算手段は、在高の初期値と取引毎の釣銭データとに基づいて自動釣銭機１００内の在高を算出可能となる。
【００５０】
また、本実施の形態のＰＯＳ端末１０で実行されるプログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供されても良い。
【００５１】
また、本実施の形態のＰＯＳ端末１０で実行されるプログラムを、インターネット等のネットワークに接続されたコンピュータ上に格納し、ネットワーク経由でダウンロードさせることにより提供するように構成しても良い。また、本実施の形態のＰＯＳ端末１０で実行されるプログラムをインターネット等のネットワーク経由で提供または配布するように構成しても良い。
【符号の説明】
【００５２】
１０…ＰＯＳ端末
３４…操作者用表示器
８１…第１の表示制御部
８２…算出部
８３…第２の表示制御部
８５…出金情報生成部
８６…出金情報送信部
１００…自動釣銭機
１２３…在高演算手段
２００…釣銭管理画面
２０２…入力受付エリア
【先行技術文献】
【特許文献】
【００５３】
【特許文献１】特開平６−２１５２５８号公報
【図１】
2011054037.tif 000003
【図２】
2011054037.tif 000004
【図３】
2011054037.tif 000005
【図４】
2011054037.tif 000006
【図５】
2011054037.tif 000007
【図６】
2011054037.tif 000008